(57)【要約】【課題】カバー内に取り付ける機器の取付作業性を向上させること。【解決手段】電気電子機器収納箱に対して取り付けられ、一面に開口部１１を備えるカバー１と、前記カバー１の一面の開口部１１から挿入される取付部材３と、取付部材３をカバー１に固定する固定部３１と、を備え、取付部材３に係止部３２を備えるとともに、カバー１には係止部３２が係止することにより取付部材３を仮保持する被係止部１２を備えたフード１０とする。【選択図】図１３
2018201000.tif 000002
【特許請求の範囲】
【請求項１】
電気電子機器収納箱に対して取り付けられるフードであって、
一面に開口部を備えるカバーと、
前記カバーの一面の開口部から挿入される取付部材と、
取付部材をカバーに固定する固定部と、を備え、
取付部材に係止部を備えるとともに、カバーには係止部が係止することにより取付部材を仮保持する被係止部を備えた電気電子機器収納箱用のフード。
【請求項２】
取付部材には開口部から垂直に延び、機器またはフィルタを取付可能な垂直片を備える請求項１記載の電気電子機器収納箱用のフード。
【請求項３】
取付部材はフィルタを保持するフィルタ保持部を備え、
前記フィルタ保持部が露出した状態で、係止部が被係止部に係止される請求項１または２に記載の電気電子機器収納箱用のフード。
【請求項４】
取付部材がカバーに固定される固定位置で、取付部材の前後方向への移動を規制する規制部を備えた請求項１から３の何れかに記載の電気電子機器収納箱用のフード。
【請求項５】
取付部材を所定位置にガイドするためのガイド部をカバーに備えた請求項１から４何れかに記載電気電子機器収納箱用のフード。
【請求項６】
被係止部がガイド部と一体に形成してなり、
カバーの上端側から開口部にわたって設けられた請求項５に記載の電気電子機器収納箱用のフード。
【発明の詳細な説明】
【技術分野】
【０００１】
本発明は、電気電子機器収納箱用のフードに関するものである。
【背景技術】
【０００２】
特許文献１に記載されているように、筐体の開口部に対してフードを取り付け、このフードに対して換気扇やフィルタを固定ねじで固定することは知られている。
【先行技術文献】
【特許文献】
【０００３】
【特許文献１】特開２００６−２５０４５３号公報
【０００４】
ところで特許文献１に記載された構造であると、固定ねじを取り外した際に、フードに取り付けられた換気扇などが落下してしまう虞があったり、換気扇の固定時の作業が困難であるなど取付作業性が悪かった。
【発明の概要】
【発明が解決しようとする課題】
【０００５】
本件の発明者は、この点について鋭意検討することにより、解決を試みた。本発明の課題は、電気電子機器収納箱のフードのカバー内に取り付ける機器やフィルタの取付作業性を向上させることである。
【課題を解決するための手段】
【０００６】
上記課題を解決するため、電気電子機器収納箱に対して取り付けられるフードであって、一面に開口部を備えるカバーと、前記カバーの一面の開口部から挿入される取付部材と、取付部材をカバーに固定する固定部と、を備え、取付部材に係止部を備えるとともに、カバーには係止部が係止することにより取付部材を仮保持する被係止部を備えた電気電子機器収納箱用のフードとする。
【０００７】
取付部材には開口部から垂直に延び、機器またはフィルタを取付可能な垂直片を備える構成とすることが好ましい。
【０００８】
取付部材はフィルタを保持するフィルタ保持部を備え、前記フィルタ保持部が露出した状態で、係止部が被係止部に係止される構成とすることが好ましい。
【０００９】
取付部材がカバーに固定される固定位置で、取付部材の前後方向への移動を規制する規制部を備えた構成とすることが好ましい。
【００１０】
取付部材を所定位置にガイドするためのガイド部をカバーに備えた構成とすることが好ましい。
【００１１】
被係止部がガイド部と一体に形成してなり、カバーの上端側から開口部にわたって設けられた構成とすることが好ましい。
【発明の効果】
【００１２】
本発明では、電気電子機器収納箱のフードのカバー内に取り付ける機器やフィルタの取付作業性を向上させることが可能となる。
【図面の簡単な説明】
【００１３】
【図１】実施形態のカバーが取り付けられた電気電子機器収納箱の斜視図である。
【図２】電気電子機器収納箱とカバーの斜視図である。
【図３】正面下方から見たカバーの斜視図である。
【図４】背面下方から見たカバーの斜視図である。
【図５】カバーの分解斜視図である。
【図６】取付部材がカバーに仮保持された状態における、換気扇が取り付けられた取付部材と、被係止部材との関係を表した斜視図である。
【図７】図６のＶＩＩ領域周りの部分拡大図である。
【図８】取付部材を被係止部材と係合させる前の取付部材と被係止部材の斜視図である。
【図９】図８とは異なる方向から見た取付部材と被係止部材の斜視図である。
【図１０】図９のＸ領域周りの部分拡大図である。
【図１１】図８のＸＩ領域周りの部分拡大図である。
【図１２】図８のＸＩＩ領域周りの部分拡大図である。
【図１３】取付部材をカバーに仮保持させた状態における内部構造を示した図である。
【図１４】図１３のＸＩＶ領域周りの部分拡大図である。
【図１５】取付部材をカバーに仮保持させた状態における斜視図である。
【図１６】図１５に示したカバーからフィルタを取り出した状態を示す斜視図である。
【図１７】取付部材をカバーに固定した状態における内部構造を示した図である。
【図１８】図１７のＸＶＩＩＩ領域周りの部分拡大図である。
【図１９】図１７に示した状態における取付部材と被係止部材との関係を表した図である。
【図２０】図１９のＸＸ領域周りの部分拡大図である。
【発明を実施するための形態】
【００１４】
以下に発明を実施するための形態を示す。図１乃至図５に示すことから理解されるように、本実施形態のフード１０は、電気電子機器収納箱９に対して取り付けられ、一面に開口部１１を備えるカバー１を備えている。また、このカバー１の一面の開口部１１から挿入される取付部材３と、取付部材３をカバー１に固定する固定部３１と、を備えている。図６及び図７に示すことから理解されるように、この取付部材３には係止部３２を備えるとともに、カバー１には係止部３２が係止することにより取付部材３を仮保持する被係止部１２を備えている。このため、機器の取付作業時に取付部材３が落下することを抑制することができ、カバー１内に取り付ける機器の取付作業性を向上させることが可能となる。
【００１５】
本実施形態の電気電子機器収納箱９は、主として屋外に配置されるものである。この電気電子機器収納箱９には開口部９９が形成されており、この開口部９９を覆うようにカバー１が固定される。カバー１は一面に第１開口部として開口部１１を備えるものであり、本実施形態のフード１０は内部に開口部１１から換気扇４を挿入し固定することで電気機器である換気扇付きフードとすることができる。なお、本実施形態では、電気電子機器収納箱９に備えられた図示しない穴にカバー固定部８６を差し込んで固定することにより、電気電子機器収納箱９にカバー１を固定している。
【００１６】
電気機器収納箱９は、筐体に固定するフード１０を備えている。また、フード１０に挿入される取付部材３を備えている。フード１０には取付部材３を係止させる被係止部１２を備えた被係止部材５を備えており、取付部材３には被係止部１２に係止させるためのフック状の係止部３２が備えられている。
【００１７】
フード１０は、電気電子機器収納箱９の開口部９９に臨む第２開口部として開口部１７を備えるとともに、これとは異なるカバー１の一面に第１開口部として開口部１１を備えている。この開口部１１は、取付部材３を挿入するためのものである。この開口部１１の端部には取付部材３を固定するために用いられる固定部３１が設けられている。
【００１８】
本実施形態の取付部材３は、側面視が略Ｔ字状となるように形成されており、カバー１の開口部１１から垂直方向すなわち上下方向に延びる垂直片３３には開口部３４が設けられている。この開口部３４を覆うように、電気電子機器収納箱９の排熱を行うための換気扇４が取付部材３に固定されている。なお、垂直片３３は、機器やフィルタ等を取り付け可能となっている。
【００１９】
本実施形態では、換気扇４はフード１０の取付面側の開口部１７側からねじ８４を締めてねじ固定されている。また、フード１０には通気性のファンガード１９が固定されており、このファンガード１９を取り外さない限り筐体内から換気扇４に触れることが出来ないように構成されている。なお、ファンガード１９を取り外せば、取付部材３をフード１０に固定している状態で、開口部１７側から換気扇４を着脱することができる。また、開口部１１側からでも取付部材３を外せば、換気扇４を取り外すことができる。
【００２０】
取付部材３には垂直片３３に対して交差するように延びる腕部が備えられている。腕部は垂直片３３の正面側と背面側の双方に延びるように設けられており、一方の腕部は、通気が可能な通気板部３５として設けられており、他方の腕部は取り付けられる換気扇４の下部側を覆う被覆部３６として設けられている。通気板部３５及び被覆部３６は垂直片３３に一体に形成するものであっても良いし、着脱自在とするものであっても良い。
【００２１】
本実施形態の通気板部３５はパンチングメタル形状としている。また、図８乃至図１０に示すことから理解されるように、通気板部３５との間にフィルタ９１を配置する空間を設けることが可能なフィルタ固定片３７を備えている。本実施形態においては、通気板部３５とフィルタ固定片３７によりフィルタ９１を挟止する構成であり、通気板部３５とフィルタ固定片３７によりフィルタ保持部が形成されている。なお、フィルタ固定片３７は垂直片３３と一体に形成しても良いし、着脱自在に固定するものであっても良い。
【００２２】
ところで本実施形態では、図１１に示すように、取付部材３の垂直片３３の上端にフック状の係止部３２が形成されている。また、フード１０には取付部材３を挿入するための開口部１１が備えられているが、この開口部１１と反対端部側には、係止部３２を引掛ける被係止部１２を備えている。本実施形態では、図５及び図１２に示すことから理解されるように、フード１０の側面に固定された被係止部材５に被係止部１２が設けられている。係止部３２と被係止部１２を係止させることで、図１３乃至図１５に示すように、フード１０が取付部材３を仮保持することができる。この仮保持の状態においては、通常、カバー１に設けられた固定部３１に対して接した状態で固定される取付部材３について、固定部３１と離した状態で支えることができる。本実施形態では係止部３２をフック状としたが、係止部３２を孔形状とし、被係止部材５にフック状の被係止部１２とするものであっても良い。
【００２３】
図１３乃至図１５に示すことから理解されるように、本実施形態では、取付部材３の係止部３２を被係止部１２に引っ掛けた状態、つまり仮保持状態においては、フィルタ９１やフィルタ固定片３７がフード１０から露出するように設けられており、図１６に示すように、この状態でフィルタ９１を交換することが可能となっている。このように、フィルタ保持部により保持されたフィルタ９１が露出した状態で、係止部３２が被係止部１２により仮保持される構成とすれば、取付部材３をカバー１から取り外すことなくフィルタ９１を交換することが可能となる。なお、フィルタ保持部が露出、詳しくは、フィルタ固定片３７と垂直片３３との固定部が露出するように形成しておけば、取付部材３の仮保持状態で、フィルタ固定片３７を垂直片３３から着脱可能とすることもできるため、仮保持状態でフィルタ９１およびフィルタ固定片３７を自由に着脱可能となる。また、取付部材３の仮保持状態でフィルタ固定片３７はカバー１に覆われている状態であっても良く、少なくとも、通気板部３５とフィルタ固定片３７で保持されたフィルタ９１が露出するものであれば良い。
【００２４】
仮保持状態から、取付部材３を持ち上げると、取付部材３を固定部３１に隣接させることが可能となり、この状態で固定部３１に対して固定ねじ８２を螺合させれば、図１７に示すように、取付部材３をカバー１に固定することが可能となる。
【００２５】
本実施形態の被係止部材５は取付部材３を所定位置にガイドするためのガイド部を備えている。このガイド部は被係止部材５に一体的に形成されている。本実施形態では、図９に示すように、係止部３２の上端をガイドする上端ガイド部５１や、垂直片３３や係止部３２の先端をガイドする先端ガイド部５２、垂直片ガイド部５３などがガイド部として設けられている。
【００２６】
本実施形態では断面コ字状に形成された部位の一端側と他端側に設けられた板状の部位が、先端ガイド部５２と垂直片ガイド部５３であり、垂直片ガイド部５３の端部側から先端ガイド部５２の端部側に向けて斜めに延びる板状の部位が上端ガイド部５１である。先端ガイド部５２と垂直片ガイド部５３との間を通ってカバー１の奥側に差し込まれた取付部材３は、上端ガイド部５１に当接した状態で更に奥側に押し込まれた際、先端ガイド部５２側に寄せられるように動くことになる。
【００２７】
本実施形態のように、係止部３２を係止する被係止部１２を構成する被係止部材５が、取付部材３を所定位置にガイドするためのガイド部を備えた構成とすれば、取付部材３の位置決めを容易にすることができる。
【００２８】
本実施形態の被係止部材５は下端部を取付部材３が挿入される開口部１１の近傍まで延びるように取り付けられている。したがって、取付部材３の係止部３２の先端や上端をガイドして所定位置まで案内させることが容易となる。また、被係止部１２を構成する被係止部材５がガイド部と一体に形成してなり、カバー１の上端側から開口部１１にわたって設けられた構成としているため、係止部３２材をカバー１の奥側の所定位置に移動させる際にも、開口部１１付近に見えるガイド部を目視して作業をすればよく、取付作業性を良くすることができる。
【００２９】
図１７乃至図２０から理解されるように、本実施形態のカバー１においては、取付部材３の仮保持状態から、取付部材３を持ち上げたときに、取付部材３が前後にずれないように取付部材３の当接片３９の表裏に当接する規制部５４，５５を備えている。この規制部５４，５５は被係止部材５に設けられており、取付部材３の一方側の面に当接する規制部５４は、断面コ字状に形成された部位の一端側の板状の部位が担うことになる。また、取付部材３の他方側の面に当接する規制部５５は、上端ガイド部５１の一端側に設けられており、奥側に押し込まれた取付部材３は、上端ガイド部５１で先端ガイド部５２側に案内された後、この規制部５５と対向する位置まで到達することになる。このように、取付部材３がカバー１に固定される固定位置で、取付部材３の前後方向への移動を規制する規制部５４，５５を備えた構成とすれば、取付部材３をカバー１に固定する際に取付部材３がふらつくことを抑制することができる。
【００３０】
以上、一つの実施形態を中心に説明してきたが、本発明は上記実施形態に限定されることはなく、各種の態様とすることが可能である。例えば、カバー内の取付部材３の垂直片３３に取り付けられる機器を換気扇としたが、機器をルーバやフィルタとするものであっても良いし、ペルチェ素子などの冷却装置でも良い。
【符号の説明】
【００３１】
１  カバー
３  取付部材
５  被係止部材
９  電気電子機器収納箱
１０  フード
１１  開口部
１２  被係止部
３１  固定部
３２  係止部
９１  フィルタ
【図１】
2018201000.tif 000003
【図２】
2018201000.tif 000004
【図３】
2018201000.tif 000005
【図４】
2018201000.tif 000006
【図５】
2018201000.tif 000007
【図６】
2018201000.tif 000008
【図７】
2018201000.tif 000009
【図８】
2018201000.tif 000010
【図９】
2018201000.tif 000011
【図１０】
2018201000.tif 000012
【図１１】
2018201000.tif 000013
【図１２】
2018201000.tif 000014
【図１３】
2018201000.tif 000015
【図１４】
2018201000.tif 000016
【図１５】
2018201000.tif 000017
【図１６】
2018201000.tif 000018
【図１７】
2018201000.tif 000019
【図１８】
2018201000.tif 000020
【図１９】
2018201000.tif 000021
【図２０】
2018201000.tif 000022